(57)【要約】【課題】隙間用ノズル等の吸込具の着脱が、不衛生で使い勝手が悪いものであった。【解決手段】掃除機本体１に連通した先端パイプ１４の先端近くに形成された第１の枢支部１９と、前記第１の枢支部１９により回動自在に枢支され、前記先端パイプ１４の接続口の外周と接続口の前方との二つの位置を取り得る可動ノズル１８と、前記先端パイプ１４の先端近くに形成された第２の枢支部２７により回動自在に枢支され、かつ前記可動ノズルを収納するカバー体２６とを有し、さらに前記カバー体２６は、前記可動ノズル１８の取り得る二つの位置において前記可動ノズル１８を固定するための係合部３９を有する構成としたので、先端パイプ１４から延長管１３を取り外した状態で、先端パイプ１４の接続口の外周に位置していた可動ノズル１８が回動し、その一部とカバー体２６にて空気通路３４を形成し、先端パイプ１４の接続口前方に吸引具を形成できる。【選択図】図５
2010094401.tif 000002
【特許請求の範囲】
【請求項１】
掃除機本体と、一端が掃除機本体に接続され、他端に先端パイプを有するホースと、前記先端パイプの接続口に一端が着脱自在に接続される延長管と、前記延長管他端の接続部に着脱自在に接続される床用吸込具と、前記先端パイプの先端近くに形成された第１の枢支部と、前記第１の枢支部により回動自在に枢支され、前記先端パイプの接続口の外周と接続口の前方との二つの位置を取り得る可動ノズルと、前記先端パイプの先端近くに形成された第２の枢支部により回動自在に枢支され、かつ前記可動ノズルを収納するカバー体とを有し、さらに前記カバー体は、前記可動ノズルの取り得る二つの位置において前記可動ノズルを固定するための係合部を有する構成とした電気掃除機。
【請求項２】
可動ノズルが先端パイプの接続口前方に飛び出させた状態で、前記可動ノズルに係合するカバー体にて先端パイプと前記可動ノズル間の空気連通路を形成する構成とした請求項１記載の電気掃除機。
【請求項３】
可動ノズル内に延長管を挿入可能な開口部を形成し、その内部で回動もしくは摺動するレバー体を設け、前記レバー体は、延長管挿入時に、延長管に当接してカバー体の係合を解除する構成とした請求項１または２に記載の電気掃除機。
【請求項４】
カバー体が附勢手段により回動して、可動ノズルが先端パイプの接続口前方に飛び出させた状態で、可動ノズルを保持する構成とした請求項１〜３のいずれか１項に記載の電気掃除機。
【請求項５】
回動する可動ノズルとその関連部材をユニット化し、前記ユニット化した吸込具を、先端パイプ、延長管の先端部にそれぞれ着脱可能としたことを特徴とする請求項１〜４のいずれか１項に記載の電気掃除機。
【発明の詳細な説明】
【技術分野】
【０００１】
本発明は、電気掃除機などの吸引装置に接続されて使用する吸込具およびをそれを用いた電気掃除機に関するものである。
【背景技術】
【０００２】
従来のこの種の吸込具は、電気掃除機の集塵室と連通したホースとホースの先端に設けた先端パイプとこの先端パイプに接続される延長管、床用吸込具などを有した電気掃除機に、ブラシノズルや隙間ノズルとして前記先端パイプや延長管の先端に着脱自在に取付けられるものであった。その構成としては先端パイプや延長管の先端部などに設けた取付け部に回動自在・摺動自在・着脱自在に接続可能な形態が一般的であった（例えば、特許文献１〜特許文献２参照）。
【特許文献１】特開２０００−０７０１８７号公報
【特許文献２】特開２０００−２７９３５２号公報
【発明の開示】
【発明が解決しようとする課題】
【０００３】
しかしながら、上記構成では、ブラシノズルや隙間ノズルなどの吸込具を先端パイプに装着する時には、まず、先端パイプから延長管を取り外した後、吸込具を握り収納場所から取り外し、または回動させて先端パイプに装着する必要があった。また、吸込具を先端パイプに対して正しい位置に装着しないと吸込具の吸込口が意図しない方向に向くため、使いにくいという欠点があり、位置決めのし易さが課題であった。さらには先端パイプから取り外す時には、上記とは逆に先端パイプから吸込具を握り、吸込具を取り外すか回動させて収納場所に収納した後、先端パイプに延長管を装着する必要があり、吸込具と延長管の付け替えに汚れやすい吸込具を握らなくてはならず不衛生であるとともに、吸込具と延長管の着脱、吸込具の収納部からの着脱の動作が必要であり、使用性が悪いという課題があった。
【０００４】
他の従来の構成としても、吸込具を先端パイプなどの先端に回動あるいは摺動させて付け替え、収納ができるものがあり、先端パイプに対する吸込具の接続の位置決めは改善されてはいるが、やはり、吸込具と延長管の付け替えに汚れやすい吸込具を握らなくてはならず不衛生であるとともに、吸込具と延長管の着脱、吸込具の収納部からの着脱の動作が必要であり、使用性が悪いという課題が残っている。
【０００５】
本発明は上記課題を解決するもので、吸込具と延長管などの付け替え時に吸込具に触れることなく、また、吸込具の収納が掃除作業の延長で行うことができる、衛生的で使用性に優れた吸込具を提供することを目的とするものである。
【課題を解決するための手段】
【０００６】
上記従来の課題を解決するために本発明は、掃除機本体と、一端が掃除機本体に接続され、他端に先端パイプを有するホースと、前記先端パイプの接続口に一端が着脱自在に接続される延長管と、前記延長管他端の接続部に着脱自在に接続される床用吸込具と、前記先端パイプの先端近くに形成された第１の枢支部と、前記第１の枢支部により回動自在に枢支され、前記先端パイプの接続口の外周と接続口の前方との二つの位置を取り得る可動ノズルと、前記先端パイプの先端近くに形成された第２の枢支部により回動自在に枢支され、かつ前記可動ノズルを収納するカバー体とを有し、さらに前記カバー体は、前記可動ノズルの取り得る二つの位置において前記可動ノズルを固定するための係合部を有する構成の電気掃除機とした。
【０００７】
これにより、先端パイプから延長管を取り外した状態で、先端パイプの接続口の外周に位置していた可動ノズルが回動し、その一部が空気通路を形成しながら飛び出して、先端パイプの接続口前方に使用可能状態に形成されるため、直ぐに吸込具として塵埃の吸込みが行え、使い勝手が非常に良いものである。そして、可動ノズル収納時は、可動ノズルに触れることなく、衛生的で使用性に優れた電気掃除機を提供できるものである。
【発明の効果】
【０００８】
本発明は吸込具の使用状態、収納状態の選択が極めて容易に行え、着脱動作が少なく、また、収納時は可動ノズルに触れることがないため、衛生的で使用性に優れた電気掃除機を提供することができる。
【発明を実施するための最良の形態】
【０００９】
第１の発明は、掃除機本体と、一端が掃除機本体に接続され、他端に先端パイプを有するホースと、前記先端パイプの接続口に一端が着脱自在に接続される延長管と、前記延長管他端の接続部に着脱自在に接続される床用吸込具と、前記先端パイプの先端近くに形成された第１の枢支部と、前記第１の枢支部により回動自在に枢支され、前記先端パイプの接続口の外周と接続口の前方との二つの位置を取り得る可動ノズルと、前記先端パイプの先端近くに形成された第２の枢支部により回動自在に枢支され、かつ前記可動ノズルを収納するカバー体とを有し、さらに前記カバー体は、前記可動ノズルの取り得る二つの位置において可動ノズルを固定するための係合部を有する構成とした。これにより、先端パイプから延長管を取り外した状態で、先端パイプの接続口の外周に位置していた可動ノズルが回動し、その一部が空気通路を形成しながら飛び出して、先端パイプの接続口前方に使用可能状態に形成されるため、直ぐに吸引具として塵埃の吸込みが行え、使い勝手が非常に良いものとなる。そして、可動ノズル収納時は、可動ノズルに触れることなく、衛生的で使用性に優れた電気掃除機を提供できる。
【００１０】
第２の発明は、第１の発明の可動ノズルが、先端パイプの接続口前方に飛び出させた状態で、カバー体が前記先端パイプと前記可動ノズルとの間に連通する空気通路を形成する構成とした。これにより、第１の発明の効果に加えて、吸込み力が可動ノズル先端に確実に伝えることができるため、小型部品の組合せによっても優れた掃除性能を発揮することができ、使用性に優れた電気掃除機を提供することができる。
【００１１】
第３の発明は、第１または第２の発明の可動ノズル内に延長管を挿入可能な開口部を形成し、その内部で回動もしくは摺動するレバー体を設け、前記レバー体は、延長管挿入時に、延長管に当接してカバー体の係合を解除する構成としたもので、前記可動ノズルは、延長管を挿入する動作によって同時に収納されるため手を汚すことなく、衛生的かつ容易に収納状態にすることができる。
【００１２】
第４の発明は、第１〜第３のいずれか１つの発明のカバー体に回動力を与える附勢手段を有するもので、前記カバー体による可動ノズルの保持を確実に行うことができるので、使用性の向上が図れるものである。
【００１３】
第５の発明は、第１〜第４のいずれか１つの発明の回動する可動ノズルとその関連部材をユニット化し、前記ユニット化した吸込具を、先端パイプ、延長管の先端部にそれぞれ着脱可能としたことを特徴とする電気掃除機であり、一つの吸込具を先端パイプと延長管の先端部に付け替えて使用することができ、掃除範囲が拡大し、さらなる使用性の向上が図れるものである。
【００１４】
以下、本発明の実施の形態について、図面を参照しながら説明する。なお、この実施の
形態によりこの発明が限定されるものではない。
【００１５】
（実施の形態１）
本発明の第１の実施の形態について、図１〜図６を用いて説明する。
【００１６】
図１は電気掃除機の全体斜視図である。１は前側に塵埃を集積する集塵袋２を配置した集塵室３、後方に塵埃吸引用のモーター４などを有する本体下部であり、前部の集塵袋２上方を覆う蓋体５で集塵室３を形成するとともに後部モーター４などを配置した上方を本体上部６で覆い、電気掃除機本体７（以下、本体という）を構成している。
【００１７】
８は一端に本体７前部に構成した集塵室３に連通し、モーター４の吸引力による吸い込み通路を形成するフロントカバー９の吸気口１０に接続する接続パイプ１１を有するとともに他端に使用時に握って操作する把手１２を形成し、かつ、接続管としての延長管１３を接続する連結管としての先端パイプ１４を有するホースである。床面の塵埃を効率的に捕集する床用吸込具１５を延長管１３の先端に着脱自在に接続して用いる。
【００１８】
１６は本体７を持ち運びする時に握る下げ手であり、１７は本体下部１の前部底面に配設したキャスターローラー（図示せず）とともに使用時に本体７を移動させるローラーであり、本体下部１の後部両側面に配設されている。
【００１９】
図２は吸込具の延長管接続状態における正面図、図３は吸込具の収納状態における要部側面図、図４は図３のＡ−Ａ断面図、図５は吸込具の使用状態における要部断面図、図６は吸込具の使用状態における要部正面図である。
【００２０】
先端パイプ１４の先端には延長管１３を取り外した時に使用できる吸込具を構成している。吸込具は、主な構成部品として可動ノズル１８、カバー２６、ソケット４０からなる。また、可動ノズル１８は、ブラシ２０とブラシホルダー２１からなる。
【００２１】
可動ノズル１８は、先端パイプ１４の下部略先端部に位置した第１の回転軸（第１の枢支部）１９によって一端にブラシ２０を植毛した吸込口としてのブラシホルダー２１を先端パイプ１４に対して回動自在に枢支し、前記ブラシホルダー２１は、先端パイプ１４の外郭上方の位置と先端パイプ１４に対してブラシ２０が一定の角度αを有した位置との間を回動自在に構成している。
【００２２】
カバー２６は、ブラシホルダー２１が先端パイプ１４上方に位置した時にブラシ２０を覆うように収納するカバーである。カバー２６は、先端パイプ１４上方略先端部に位置した第２の回転軸（第２の枢支部）２７に回動自在に枢支してあり、ブラシホルダー２１が先端パイプ１４上方に位置した時にカバー２６の先端部よりも若干、ブラシ２０先端部が突出した状態となる。
【００２３】
またブラシホルダー２１が前方に突出した時にカバー２６にてブラシホルダー２１の上端と先端パイプ１４の接続口２２に連通させて連通部３４を形成する。カバー２６の中央裏面には、ストッパーＡ３９が形成されており、ブラシホルダー２１の回動端において、ブラシホルダー２１の上部前または後にそれぞれ係合してブラシホルダー２１を固定する。
【００２４】
２３は、カバー２６を先端パイプ１４の接続口２２に対して一定の角度αを有する方向に附勢するフックバネ（附勢手段）であり、ブラシホルダー２１が下方向に回動した際に、ブラシホルダー２１の上端に、前記カバー２６の先端部が当接する。
【００２５】
ブラシホルダー２１の第１の回動軸１９近傍に設けた突起３７が先端パイプ側方に突出したストッパーＢ２５に当接することによってブラシホルダー２１の回動角度を規制している。本実施の形態では、角度αを約３０度に設定している。
【００２６】
附勢手段がなくとも吸引圧が加わるとカバー体２６がブラシホルダー２１を押える方向に圧力が働くため、掃除動作中に係合が外れることはないが附勢手段を設けることにより、運転をしていない時（移動時など）も係合を確実なものにすることができる。
【００２７】
２８は延長管１３を保持、固定する尾錠であり、先端パイプ１４に一端に設けた凸部２９にフック３０が係合する。前記尾錠２８は他端に指で押さえる釦３１を形成するとともに軸３２によって回動自在に構成され、かつ、釦３１近傍に圧縮バネ３３を配置し、圧縮バネ３３によって常に釦３１を下方に附勢、つまり、フック３０を上方に附勢し、延長管１３の凸部２９に係合させる方向に力を加えている。
【００２８】
４０は先端パイプ１４に吸込具を取り付けるためのソケットで、先端パイプ１４外側に着脱自在に嵌合する。
【００２９】
上記構成による作用効果は以下の通りである。
【００３０】
床面の掃除を行う時には、本体７の吸気口１０に接続パイプ１１を接続し、先端パイプ１４の接続口２２に延長管１３を接続し、延長管１３先端に床用吸込具１５を接続して、先端パイプ１４の把手１２を握り、モーター４の吸引力によって床面上の塵埃を床用吸込具１５から吸込み、延長管１３、先端パイプ１４、ホース８、接続パイプ１１、吸気口１０を介して本体７の集塵室３に配置した集塵袋２内に集塵していく。
【００３１】
次に、ソファーや壁際、カーテン、テーブル上、また、床用吸込具１５が入らない隙間の掃除の時には、床用吸込具１５、延長管１３を先端パイプ１４から外す。
【００３２】
この時、カバー２６の後方に延長された指当て部３５を押せば、カバー２６先端が上方に回動し、ブラシホルダー２１を押えていたストッパーＡ３９の係合が外れ、ブラシホルダー２１が下方に突出する。このときカバー２６の側方には、回動時にブラシホルダー２１の両側アーム部４２に当接する突起４４（図２の紙面奥方向に凸）が設けてあるため、ブラシホルダー２１は、自重だけでなく、突起４４に押出され、ストッパーＢ２５に当接する位置まで回動する。
【００３３】
カバー２６がフックバネ２３の附勢力によって接続口２２側に回動し、先端およびストッパーＡ３９がブラシホルダー２１の上端に当接してブラシ２０が先端パイプ１４に対して一定の角度αを有した状態で保持される。したがってこの状態ですぐ吸込具としてソファーや壁際などの掃除が可能になる。
【００３４】
次に、ブラシ２０を収納する時や、延長管１３を先端パイプ１４に接続する時には、再度カバー２６の指当て部３５を押せば、ブラシホルダー２１を押えていたストッパーＡ３９の係合が外れ、ブラシホルダー２１は両側アーム部４２を軽く押すだけで元の位置に戻すことができる。
【００３５】
また、手でブラシ２０を収納しなくても可動ノズル１８に延長管１３が挿入できる開口部を有しているため、可動ノズル１８の開口部に沿って延長管１３を挿入すれば、ブラシホルダー２１の中央に設けた板バネ４３に延長管１３が当たり、板バネ４３の後端がカバー２６のストッパーＡ３９を押し上げて係合が外れる。さらに延長管１３を奥まで挿入することにより、ブラシホルダー２１が回動して先端パイプ１４の上方に位置し、ストッパ
ーＡ３９後部に係合して先端パイプ１４の上方に位置して保持される。これにより、ブラシ２０の大部分が収納されることにより、収納状態で汚れやすいブラシ２０などに触れにくく、衛生的である。また、見た目にも汚れが目立たないため、美的効果がある。
【００３６】
また、ブラシホルダー２１が一定の角度αに位置した時にブラシホルダー２１と先端パイプ１４との間に発生する隙間をカバー２６が覆うことにより、ブラシホルダー２１を大きくすること無く、先端パイプ１４との間に連通部３４を形成することができ、ブラシホルダー２１の回動角度αを大きくして掃除範囲を拡大しても隙間を極力小さくでき、吸引力の高い小型の吸込具が提供できる。
【００３７】
したがってソファーや壁際などを掃除する時に使用する吸込具の取付け、取り外しをする必要がなく、また、塵埃を吸込んだブラシ２０に触れること無く、容易に吸込具の使用状態、収納状態が選択でき、使用性が著しく向上するとともに清潔で収納性に優れ、かつ、掃除性能の優れた吸込具を提供でき、多大な効用を得ることができるものである。
【００３８】
なお、同様に延長管の先端に本発明の吸込具を配置しても同様の効果が得られることは言うまでも無い。
【００３９】
また、本発明の構成は本実施の形態に限定されるものでは無い。
【産業上の利用可能性】
【００４０】
以上のように、本発明にかかる吸込具は、先端パイプなどへ装着する吸込具（ブラシ等）の着脱が吸込具に触れること無く、かつ、延長管の着脱における動作、掃除動作の中で容易に行えるとともに吸込具の収納も行え、衛生的で使用性の向上が図れるので、家庭用の掃除機だけでなく、業務用の掃除機等にも適用できる。
【図面の簡単な説明】
【００４１】
【図１】本発明の実施の形態１を示す電気掃除機の全体斜視図
【図２】同吸込具の延長管接続状態における正面図
【図３】同吸込具の収納状態における要部側面図
【図４】図３におけるＡ−Ａ断面図
【図５】同吸込具の使用状態における要部断面図
【図６】同吸込具の使用状態における要部正面図
【符号の説明】
【００４２】
７  掃除機本体
８  ホース
１３  延長管
１４  先端パイプ
１５  床用吸込具
１８  可動ノズル
１９  第１の回転軸（第１の枢支部）
２０  ブラシ
２１  ブラシホルダー
２３  フックバネ（附勢手段）
２５  ストッパーＢ
２６  カバー（カバー体）
２７  第２の回転軸（第２の枢支部）
３４  連通部（空気連通路）
３９  ストッパーＡ
４３  板バネ（レバー体）
【図２】
2010094401.tif 000003
【図３】
2010094401.tif 000004
【図４】
2010094401.tif 000005
【図５】
2010094401.tif 000006
【図６】
2010094401.tif 000007
【図１】
2010094401.tif 000008